(57)【要約】【課題】安定した高い保持力を確保することが可能なリテーナ付きコネクタを提供する。【解決手段】端子金具１０が後方から挿入されるハウジング２０と、ハウジング２０に前方から取り付けられるフロントリテーナ４０と、を備え、ハウジング２０は、正規位置に挿入された端子金具１０に係止可能なランス３１を有し、ランス３１は、片持ち状をなして前方に延出するものであり、フロントリテーナ４０は、ランス３１の横の空間Ｓ２に入り込むリブ４５を有し、リブ４５は、ランス３１のうち端子金具１０に係止する係止部３２の高さ範囲に配される。【選択図】図１２
2018190670.tif 000002
【特許請求の範囲】
【請求項１】
端子金具が後方から挿入されるハウジングと、前記ハウジングに前方から取り付けられるフロントリテーナと、を備え、
前記ハウジングは、正規位置に挿入された前記端子金具に係止可能なランスを有し、
前記ランスは、片持ち状をなして前方に延出するものであり、
前記フロントリテーナは、前記ランスの横の空間に入り込むリブを有し、
前記リブは、前記ランスのうち前記端子金具に係止する係止部の高さ範囲に配されるリテーナ付きコネクタ。
【請求項２】
前記リブが、前記横の空間に入り込んだ状態では、前記端子金具の下側に配される底壁の一部を構成する請求項１に記載のリテーナ付きコネクタ。
【請求項３】
前記ハウジングが、前記端子金具を収容するキャビティを複数有し、
前記リブが、前記横の空間に入り込んだ状態では、隣接する前記キャビティの間を仕切る仕切り壁の一部を構成する請求項１又は請求項２に記載のリテーナ付きコネクタ。
【請求項４】
前記リブが、前記横の空間への入り込みを案内する案内面を備えている請求項１ないし請求項３のいずれか一項に記載のリテーナ付きコネクタ。
【発明の詳細な説明】
【技術分野】
【０００１】
本発明は、リテーナ付きコネクタに関する。
【背景技術】
【０００２】
従来、端子金具が後方から挿入されるハウジングと、ハウジングに取り付けられて端子金具を抜け止めするリテーナと、を備えたリテーナ付きコネクタが知られている。例えば下記特許文献１に記載のリテーナ付きコネクタのハウジングには、正規挿入された端子金具に係止可能なランスが、前方に向かって片持ち状に延出する形態で設けられている。ランスは、端子金具の挿入時には端子金具に押されて撓み空間に退避し、端子金具が正規挿入されると弾性復帰して端子金具に係止する。リテーナは、ハウジングの下面側から取り付けられるサイドリテーナであり、端子金具の撓み空間に進入し、端子金具に係止したランスの退避を制限する。これにより、端子金具に後ろ向きの力（離脱方向の力）が作用しても、ランスが係止解除方向に変位することが防がれ、端子金具が離脱しないで保持される。
【先行技術文献】
【特許文献】
【０００３】
【特許文献１】特開２００８−２３５０５０号公報
【発明の概要】
【発明が解決しようとする課題】
【０００４】
しかしながら、上記のような構成では、ランスの左右両側に空間が存在するため、端子金具が後側へ強く引っ張られたときに、ランスが左方または右方に撓む（横曲がりする）虞がある。ランスが横曲がりすると、端子金具を保持するために見込んだ保持力が確保されない虞がある。
【０００５】
本発明は上記のような事情に基づいて完成されたものであって、安定した高い保持力を確保することが可能なリテーナ付きコネクタを提供することを目的とする。
【課題を解決するための手段】
【０００６】
本発明のリテーナ付きコネクタは、端子金具が後方から挿入されるハウジングと、前記ハウジングに前方から取り付けられるフロントリテーナと、を備え、前記ハウジングは、正規位置に挿入された前記端子金具に係止可能なランスを有し、前記ランスは、片持ち状をなして前方に延出するものであり、前記フロントリテーナは、前記ランスの横の空間に入り込むリブを有し、前記リブは、前記ランスのうち前記端子金具に係止する係止部の高さ範囲に配されるものである。
【発明の効果】
【０００７】
本発明によれば、ランスの横の空間に入り込んだリブにより、ランスの横曲がりを防ぐことができる。ここで、ランスのうち端子金具に係止する係止部は、端子金具が後側へ引っ張られた場合に最も大きな力が作用する部分であり、そのような係止部の高さ範囲にリブが配されるから、確実にランスの横曲がりを防ぐことができる。したがって、安定した高い保持力を確保することができる。
【図面の簡単な説明】
【０００８】
【図１】本実施例におけるコネクタであって、端子金具が正規挿入された状態を示す正面図
【図２】端子金具が正規挿入された状態のコネクタを示す断面図であって、図１のＡ−Ａ位置における断面に相当する断面図
【図３】端子金具を示す側面図
【図４】端子金具を示す底面図
【図５】フロントリテーナを示す斜視図
【図６】フロントリテーナを示す正面図
【図７】フロントリテーナを示す側面図
【図８】フロントリテーナを示す平面図
【図９】フロントリテーナが仮係止位置に取り付けられている状態のコネクタを示す側面図
【図１０】フロントリテーナが仮係止位置に取り付けられている状態のコネクタを示す断面図であって、図１のＡ−Ａ位置における断面に相当する断面図
【図１１】フロントリテーナが仮係止位置に取り付けられている状態のコネクタを示す断面図であって、図１のＢ−Ｂ位置における断面に相当する断面図
【図１２】フロントリテーナが本係止位置に取り付けられている状態のコネクタを示す断面図であって、図１のＢ−Ｂ位置における断面に相当する断面図
【発明を実施するための形態】
【０００９】
本発明の好ましい形態を以下に示す。
本発明のリテーナ付きコネクタは、前記リブが、前記横の空間に入り込んだ状態では、前記端子金具の下側に配される底壁の一部を構成するものとしてもよい。このような構成によれば、ハウジングに底壁の全体を設ける場合に比べて、ハウジングの構成を簡素化することができる。
【００１０】
また、本発明のリテーナ付きコネクタは、前記ハウジングが、前記端子金具を収容するキャビティを複数有し、前記リブが、前記横の空間に入り込んだ状態では、隣接する前記キャビティの間を仕切る仕切り壁の一部を構成するものとしてもよい。このような構成によれば、ハウジングに仕切り壁の全体を設ける場合に比べて、ハウジングの構成を簡素化することができる。
【００１１】
また、本発明のリテーナ付きコネクタは、前記リブが、前記横の空間への入り込みを案内する案内面を備えているものとしてもよい。このような構成によれば、リブがランスの横の空間にスムーズに入り込むから、フロントリテーナの取り付け作業を円滑に行うことができる。
【００１２】
＜実施例＞
以下、本発明を具体化した一実施例について、図１〜図１２を参照しつつ詳細に説明する。
本実施例におけるリテーナ付きコネクタ（以下、単にコネクタＣと称する）は、前端にタブ部１１を有する雄型の端子金具１０が後方から挿入されるハウジング２０と、ハウジング２０に前方から取り付けられるフロントリテーナ４０と、を備えた雄型のコネクタである。以下、各構成部材において、図示しない相手側コネクタとの嵌合面側（図２の左側）を前方、その反対側（図２の右側）を後方とし、また、図２の上側を上方、下側を下方として説明する。
【００１３】
端子金具１０は、図３及び図４に示すように、全体として細長い形状をなし、後端部には、電線Ｗの端末部に接続される電線接続部１２が設けられている。タブ部１１は、本体部（以後、端子本体部１３と称する）の前端から前方に突出して設けられ、図示しない雌型の端子金具と接触して電気的に接続される。タブ部１１は、金属板材を折り重ねて形成された略扁平な板状をなしている。なお、タブ部１１の先端は、先細り形状とされている。
【００１４】
端子本体部１３には、後述するハウジング２０のランス３１が係止可能な係止受け部１４が設けられている。係止受け部１４は、端子本体部１３の前後方向における中間部に設けられ、端子本体部１３の外面から外側に突出している。係止受け部１４は、端子本体部１３の幅方向における略中心に位置している。係止受け部１４の後面は、前後方向に対して直交する切り立った面とされている。
【００１５】
ハウジング２０は、合成樹脂製であって、端子金具１０が収容される端子収容部２１と、相手側のハウジングに嵌合可能なフード部２２とを備えている。
端子収容部２１には、端子金具１０が個別に収容されるキャビティ２３が複数設けられている。複数のキャビティ２３は、上下方向に複数段（本実施例では２段）にわけて設けられ、各段には複数（本実施例では２室）のキャビティ２３が並べられている。
【００１６】
端子収容部２１には、各キャビティ２３の前壁２４、天井壁２５、左右両端の側壁２６、隣接するキャビティ２３の間を仕切る仕切り壁２６Ａ及び底壁２７が設けられている。
【００１７】
前壁２４には、タブ部１１が挿通されるタブ挿通孔２８が設けられている。タブ挿通孔２８は、全周が閉じた孔であり、横長の長方形状をなして前壁２４を前後方向に貫通している。前壁２４の後面には、タブ部１１をタブ挿通孔２８に誘い込むことが可能な誘導面２９が形成されている。誘導面２９は、タブ挿通孔２８の周囲（上下左右）に設けられ、タブ挿通孔２８に向かって次第にキャビティ２３の幅が狭まるように傾斜している。
【００１８】
底壁２７は、各キャビティ２３の略後半部に設けられ、底壁２７の前方には、正規位置に挿入された端子金具１０に係止可能なランス３１が設けられている。ランス３１は、基端側が底壁２７に連結された片持ち状をなして前方に延出している。ランス３１は、上下方向に弾性撓み可能とされている。ランス３１は、各キャビティ２３の幅方向における中央に設けられ、ランス３１の左右両側には空間があいている。ランス３１の幅寸法は、タブ部１１の幅寸法と同等の寸法とされている。
【００１９】
ランス３１の上面には、係止受け部１４の後面に後方から係止可能な係止面（係止部）３２が設けられている（図２参照）。係止面３２は、端子金具１０の挿抜方向に対して略垂直をなすように切り立っている。係止面３２は、ランス３１の上面に突設された突出部３１Ａに形成されている。突出部３１Ａは、ランス３１の全幅にわたる幅寸法を有している。ランス３１の上面（突出部３１Ａの上面）は、係止面３２の上端から後方に向かって緩やかに下っている。なお、ランス３１の前端部は、係止面３２よりも一段前方に突出している。
【００２０】
ランス３１の下方には、ランス３１が弾性撓みするための撓み空間Ｓ１が設けられている。ランス３１は、端子金具１０の挿入時には端子金具１０に押されて撓み空間Ｓ１に退避し、端子金具１０が正規挿入されると弾性復帰して端子金具１０に係止する。撓み空間Ｓ１は、前方に開放されている。
【００２１】
端子収容部２１には、フロントリテーナ４０が収容されるリテーナ収容部３３が設けられている。リテーナ収容部３３は、端子収容部２１の前端部に設けられ、ランス３１の周囲を前方に開放する空間である。
【００２２】
リテーナ収容部３３は、フロントリテーナ４０のリブ４５が前方から挿入される挿入空間Ｓ２を有している（図１１参照）。挿入空間Ｓ２は、ランス３１の横（左右両側）に設けられている。挿入空間Ｓ２は、図１０に示すように、ランス３１の高さ寸法と同等の高さを有して前方に開放されるとともに、撓み空間Ｓ１と左右方向に連通している。隣接するキャビティ２３の間に位置する挿入空間Ｓ２は、仕切り壁２６Ａに形成された切欠き部３９を介して左右方向に連通している。また、隣接するキャビティ２３の左右両端（並び方向の両端）に位置する挿入空間Ｓ２は、図１２に示すように、側壁２６に形成された窪み部３９Ｂとなっている。
【００２３】
リテーナ収容部３３は、後述するフロントリテーナ４０の本体構成部４３を収容する本体収容部３３Ａを備えている。本体収容部３３Ａは、上段のキャビティ２３と下段のキャビティ２３とに対応して上下に一ずつ設けられている。本体収容部３３Ａは、隣接するキャビティ２３の下部を連通して前方に開口しており、各本体収容部３３Ａを前方から見ると、横長形状をなしている。各本体収容部３３Ａにより各段のキャビティ２３のランス３１、撓み空間Ｓ１及び挿入空間Ｓ２が、それぞれ一括して前方に開放されている。
【００２４】
ハウジング２０には、後述するフロントリテーナ４０の嵌合部４６が嵌合可能な嵌合受け部３４が設けられている（図９参照）。嵌合受け部３４は、端子収容部２１の両側面に設けられている。嵌合受け部３４の上下両側には、前後方向に延びる突条部３５が設けられている。
【００２５】
嵌合受け部３４には、フロントリテーナ４０が仮係止位置にあるときに係止可能な仮係止突起３６、及び本係止位置にあるときに係止可能な本係止突起３７が設けられている。仮係止突起３６及び本係止突起３７は、端子収容部２１の両側面に突設されている。仮係止突起３６が前側、本係止突起３７が後側に位置し、また仮係止突起３６が上側、本係止突起３７が下側に位置している。仮係止突起３６の突出寸法は、本係止突起３７の突出寸法よりも小さくされている（図１参照）。
【００２６】
フード部２２は、筒状をなして端子収容部２１から前方に突出している。フード部２２は、端子収容部２１よりも一段外側に大きくなっている。フード部２２の奥壁には、フロントリテーナ４０の嵌合部４６を嵌合受け部３４へ通過させる通過部３８が設けられている（図１及び図１１参照）。通過部３８は、縦長の方形状をなしてフード部２２の奥壁を前後方向に貫通する孔である。
【００２７】
フロントリテーナ４０は、撓み空間Ｓ１に入り込んでランス３１の撓み変形を規制する撓み規制部４２を有している。フロントリテーナ４０は、撓み規制部４２が撓み空間Ｓ１から前方に退避した仮係止位置（図１０参照）と、撓み空間Ｓ１に入り込んだ本係止位置（図２参照）とに取り付け可能とされている。
【００２８】
撓み規制部４２は、フロントリテーナ４０の本体部（以後、リテーナ本体部４１と称する）に設けられている（図８参照）。リテーナ本体部４１は、図５に示すように、キャビティ２３の段数に対応して設けられた複数（本実施例では２段）の本体構成部４３と、本体構成部４３を上下方向に連結する連結壁４４とを有している。
【００２９】
連結壁４４は、本体構成部４３の左右両端部に設けられ、リテーナ本体部４１は、全体として前後両側に開口した角筒状（箱型）をなしている。
【００３０】
撓み規制部４２は、各ランス３１に対応して設けられ、各本体構成部４３に２つずつ設けられている。撓み規制部４２は、ランス３１が弾性撓みしていない自然状態における撓み空間Ｓ１の高さ寸法と同等の厚さ寸法と、ランス３１の幅寸法と同等の幅寸法とを有している。撓み規制部４２の両側には、ランス３１の挿入空間Ｓ２に入り込むリブ４５が設けられている。リブ４５については、後ほど詳しく説明する。
【００３１】
連結壁４４は、図５に示すように、本体構成部４３よりも後方に突出して設けられ、本体構成部４３から後方に突出した部分が嵌合部４６とされている。嵌合部４６は壁状をなし、フロントリテーナ４０の左右両側に一対が対向して設けられている。嵌合部４６には、フロントリテーナ４０が仮係止位置にあるときに仮係止突起３６に係止し、本係止位置にあるときに本係止突起３７に係止可能な係止突条４７が設けられている。係止突条４７は、嵌合部４６の外縁部に沿って突設されている。係止突条４７は、嵌合部４６の後縁に沿う部分と、上下両縁に沿う部分とを有している。
【００３２】
フロントリテーナ４０の前端部には、メンテナンス等のために端子金具１０を抜き取る際に、ランス３１を撓み空間Ｓ１に退避させるための図示しない治具を挿入可能な治具孔４８が設けられている。治具孔４８は、前後両側及び上側に開放された溝状をなしている。治具孔４８は、フロントリテーナ４０が本係止位置にあるときには、図２に示すように、上側が前壁２４で塞がれる。言い換えると、フロントリテーナ４０が本係止位置にあるときには、ハウジング２０前面の開口が、治具孔４８を除いて塞がれる。
【００３３】
治具孔４８の底面と撓み規制部４２の上面との間には、図１０に示すように、段差面４９が形成されている。段差面４９は、治具孔４８から撓み規制部４２側へ向かって下がる傾斜をなしている。段差面４９は、リテーナ本体部４１の前後方向における略中心に位置している。
【００３４】
さて、リブ４５は、図８に示すように、各撓み規制部４２の両側に突設されている。上側の本体構成部４３のリブ４５は、図６に示すように、連結壁４４よりも一段上方に突出している。リブ４５の後端と撓み規制部４２の後端とは前後方向の位置が揃っている（図８参照）。
【００３５】
撓み規制部４２を間にして並ぶリブ４５の間隔は、ランス３１の幅寸法より若干大きい寸法とされている（図１１参照）。なお、リブ４５の間隔は、治具孔４８の幅寸法より大きくされている。
【００３６】
フロントリテーナ４０が仮係止位置にあるときには、図１１に示すように、リブ４５が挿入空間Ｓ２から退避し、フロントリテーナ４０が本係止位置にあるときには、図２に示すように、リブ４５が挿入空間Ｓ２に入り込む。
【００３７】
リブ４５の幅寸法は、図１２に示すように、ランス３１の左右両側にあいた空間を埋める寸法を有している。リブ４５は、隣接するランス３１の間（内側）の挿入空間Ｓ２に入り込むリブ（以後、中間リブ４５Ａと称する）と、ランス３１の外側（隣接するランス３１の両外側）の挿入空間Ｓ２に入り込むリブ（以後、端リブ４５Ｂと称する）とを有している。中間リブ４５Ａの幅寸法は、仕切り壁２６Ａの壁厚寸法（左右方向の寸法）より大きい寸法とされている。中間リブ４５Ａの両側面（左右両側面）は、仕切り壁２６Ａの両側面よりも各キャビティ２３の中心側へ一段突出している。また、端リブ４５Ｂの側面は、側壁２６の側面よりも各キャビティ２３の幅方向中心側へ一段突出している。
【００３８】
リブ４５の高さ寸法は、挿入空間Ｓ２の高さ寸法に整合している。リブ４５は、挿入空間Ｓ２に入り込んだ状態では、キャビティ２３の底壁２７、側壁２６及び仕切り壁２６Ａの一部を構成する。
【００３９】
詳しくは、リブ４５のうち端子金具１０の端子本体部１３の下側に位置する部分が、底壁２７の一部を構成する。中間リブ４５Ａにおいては、左右両側縁に沿う部分が底壁２７を構成し、端リブ４５Ｂにおいては、内側の縁に沿う部分が底壁２７を構成する。また、中間リブ４５Ａが、仕切り壁２６Ａの一部を構成し、端リブ４５Ｂが側壁２６の一部を構成する。
【００４０】
リブ４５は、ランス３１のうち端子金具１０に係止する係止面３２の高さ範囲に配される（図２参照）。リブ４５の上面（以後、突出端面５１と称する）は、概ね自然状態のランス３１の上面（係止面３２の上端）と同じ高さに位置している。突出端面５１は、端子金具１０の挿入方向に略平行な平坦な面とされている。フロントリテーナ４０がハウジング２０に取り付けられると、突出端面５１は、誘導面２９の下端と同等の高さに位置する。
【００４１】
リブ４５の後端部には、前方に向かって次第に上る傾斜をなす傾斜面５２が形成されている。傾斜面５２の前端は突出端面５１に連なっている（図５参照）。
また、リブ４５の後端部には、挿入空間Ｓ２へのリブ４５の入り込みを案内する案内面５５を備えている。案内面５５は、図８に示すように、リブ４５の後端から前方に向かってリブ４５の幅寸法を次第に増す（隣接するリブ４５間の間隔を次第に狭める）傾斜をなしている。案内面５５は、リブ４５の全高にわたって形成されている。案内面５５は、中間リブ４５Ａの左右両側と、端リブ４５Ｂの内側とに形成されている。
【００４２】
次に、本実施例のコネクタＣの組み付け作業の一例を説明する。
まず、フロントリテーナ４０を仮係止位置に取り付ける。フロントリテーナ４０をフード部２２の前方から内部に入れて嵌合部４６を通過部３８に挿入する。嵌合部４６は嵌合受け部３４に至り、係止突条４７が仮係止突起３６を乗り越えて仮係止突起３６に係止する（図９参照）。係止突条４７は、仮係止突起３６と本係止突起３７との間に嵌合し、フロントリテーナ４０の前後方向の移動が規制される。このとき、リテーナ本体部４１の略半分はリテーナ収容部３３から前方に突出し、撓み規制部４２及びリブ４５はランス３１の前方に退避している（図１１参照）。
【００４３】
次に、端子金具１０をキャビティ２３に挿入する。キャビティ２３に後方から端子金具１０を挿入すると、タブ部１１はランス３１の上方を通ってタブ挿通孔２８に向かう。
【００４４】
タブ部１１がタブ挿通孔２８に入ると、端子金具１０は略水平姿勢に保持され、係止受け部１４がランス３１を押して撓み空間Ｓ１に退避させ、前進する。端子金具１０が正規の位置に至ると、係止受け部１４はランス３１の係止面３２を乗り越え、ランス３１が弾性復帰し、係止面３２が係止受け部１４に係止する。これにより、端子金具１０が抜け止めされる。
【００４５】
次に、フロントリテーナ４０を本係止位置に取り付ける。全ての端子金具１０を正規位置に挿入し終えたら、仮係止位置に保持されているフロントリテーナ４０を後方に押す。図９の二点鎖線で示すように嵌合部４６が移動し、係止突条４７が本係止突起３７を乗り越えて本係止突起３７の後面に係止する。これにより、リテーナの前方移動が規制される。また、挿入空間Ｓ２に入り込んだリブ４５が切欠き部３９Ａまたは窪み部３９Ｂにそれぞれ嵌合し、フロントリテーナ４０のさらなる押し込みが規制される。
【００４６】
フロントリテーナ４０が本係止位置に配された状態では、リテーナ本体部４１の全体がリテーナ収容部３３に収容される（図２参照）。撓み規制部４２は撓み空間Ｓ１に入り込み、リブ４５は挿入空間Ｓ２に入り込む。リブ４５は、案内面５５が設けられていることにより、ランス３１の前端に引っ掛かることなくスムーズに挿入空間Ｓ２に案内される。撓み空間Ｓ１に入り込んだ撓み規制部４２によって、ランス３１の弾性撓みが規制され、端子金具１０は確実に抜け止めされる。端子本体部１３は、ランス３１及びリブ４５によって下面が支持された状態になる。
以上により、コネクタＣの組み付け作業が完了する。
【００４７】
次に、上記のように構成された実施例の作用および効果について説明する。
本実施例のコネクタＣは、端子金具１０が後方から挿入されるハウジング２０と、ハウジング２０に前方から取り付けられるフロントリテーナ４０と、を備え、ハウジング２０は、正規位置に挿入された端子金具１０に係止可能なランス３１を有し、ランス３１は、片持ち状をなして前方に延出している。フロントリテーナ４０は、ランス３１の横の挿入空間Ｓ２に入り込むリブ４５を有し、リブ４５は、ランス３１のうち端子金具１０に係止する係止面３２の高さ範囲に配される。この構成によれば、ランス３１の横の挿入空間Ｓ２に入り込んだリブ４５により、ランス３１の横曲がりを防ぐことができる。ここで、ランス３１のうち端子金具１０に係止する係止面３２は、端子金具１０が後方に引っ張られた場合に最も大きな力が作用する部分であり、そのような係止面３２の高さ範囲にリブ４５が配されるから、確実にランス３１の横曲がり（左右の屈曲変形）を防ぐことができる。したがって、ランス３１は正規の形状を維持することができ、安定した高い保持力を確保することができる。
【００４８】
また、リブ４５が、挿入空間Ｓ２に入り込んだ状態では、端子金具１０の下側に配される底壁２７の一部を構成する。この構成によれば、ハウジングに底壁の全体を設ける場合に比べて、ハウジング２０の構成を簡素化することができる。
【００４９】
また、ハウジング２０が、端子金具１０を収容するキャビティ２３を複数有し、リブ４５が、挿入空間Ｓ２に入り込んだ状態では、隣接するキャビティ２３の間を仕切る仕切り壁２６Ａの一部を構成する。この構成によれば、ハウジングに仕切り壁の全体を設ける場合に比べて、ハウジング２０の構成を簡素化することができる。
【００５０】
また、リブ４５が、挿入空間Ｓ２への入り込みを案内する案内面５５を備えている。この構成によれば、リブ４５がランス３１の横の挿入空間Ｓ２にスムーズに入り込むから、フロントリテーナ４０の取り付け作業（本係止位置への移動操作）を円滑に行うことができる。
【００５１】
＜他の実施例＞
本発明は上記記述及び図面によって説明した実施例に限定されるものではなく、例えば次のような実施例も本発明の技術的範囲に含まれる。
（１）上記実施例では、コネクタＣが雄型のコネクタである場合を例示したが、これに限らず、コネクタは、雌型のコネクタであってもよい。
（２）上記実施例では、リブ４５が、ランス３１の両側の挿入空間Ｓ２に入り込むように設けられているが、これに限らず、例えばランスがキャビティの片側に寄って設けられている場合などには、リブを、各ランスの片側のみに入り込むように設けてもよい。
（３）上記実施例では、リブ４５に案内面５５が備えられているが、必ずしも案内面を設けなくてもよい。
（４）上記実施例では、端子金具１０とランス３１との係止構造を例示したが、これに限らず、例えば端子金具の係止受け部は突起ではなく端子本体部の後端エッジであってもよい。
【符号の説明】
【００５２】
Ｓ２…挿入空間（ランスの左右両側の空間）
１０…端子金具
２０…ハウジング
２３…キャビティ
２６Ａ…仕切り壁
２７…底壁
３１…ランス
３２…係止面（係止部）
４０…フロントリテーナ
４５…リブ
５５…案内面
【図１】
2018190670.tif 000003
【図２】
2018190670.tif 000004
【図３】
2018190670.tif 000005
【図４】
2018190670.tif 000006
【図５】
2018190670.tif 000007
【図６】
2018190670.tif 000008
【図７】
2018190670.tif 000009
【図８】
2018190670.tif 000010
【図９】
2018190670.tif 000011
【図１０】
2018190670.tif 000012
【図１１】
2018190670.tif 000013
【図１２】
2018190670.tif 000014